(57)【要約】【課題】ペットの糞尿の後始末がさらに簡便化でき、且つその製作も簡単にできるペット用便器受皿を提供する。【解決手段】平面形状が四角形の各箱体からなる受皿１ａ、１ｂ及び１ｃの垂直断面の中心位置から左右非対称な位置に上記小孔部２ａ、２ｂ及び２ｃが穿孔されている。そして該受皿１ａ、１ｂ及び１ｃが重ねられた際これらの小孔部２ａ、２ｂ及び２ｃが重なり合う位置から、例えば中段受皿１ｂのみが底面水平方向に反転させて重ね合わされた場合に、該中段受皿１ｂの小孔部２ｂが他段の受皿１ａ及び１ｃの底面で塞がれるように、上記小孔部が２ａ、２ｂ及び２ｃ穿孔されている。【選択図】        図１
2005000140.tif 000002
【特許請求の範囲】
【請求項１】
平面形状が円形を含む多角形状の上部解放型の重ね合わせ可能な箱体であって、その底面側に任意の形状の小孔部が複数設けられており、該箱体が重ね合わされた場合に任意の位置ではこれらの小孔部が重なり合うと共に、その位置から底面水平方向に任意の角度相対的にずらせて重ね合わされた際これらの小孔部が他方の底面で塞がれるように、該小孔部が穿孔されていることを特徴とするペット用便器受皿。
【請求項２】
上記箱体の平面形状が四角形である場合に、箱体垂直断面の中心位置から左右非対称な位置に上記小孔部が穿孔され、該箱体が重ねられた際これらの小孔部が重なり合う位置から、底面水平方向に所定の角度ずらせて重ね合わされた場合に、これらの小孔部が他方の底面で塞がれるように、該小孔部が穿孔されていることを特徴とする請求項１記載のペット用便器受皿。
【請求項３】
上記箱体の平面形状が円形である場合に、底面中心を除いて上記小孔部が設けられ、且つ該箱体が重ね合わされた際これらの小孔部が重なり合う位置から、任意の角度回転して重ね合わされた場合に、これらの小孔部が他方の底面で塞がれるように、該小孔部が規則的な位置に或いはランダムな位置に穿孔されていることを特徴とする請求項１記載のペット用便器受皿。
【請求項４】
上記箱体は少なくとも３つを１組として重ね合わせて用いられ、且つ重ね合わせされた中段の箱体の上記小孔部が、その上下段にある箱体の底面で塞がれるように重ね合わされると共に、最上段の箱体内に、ペットの糞尿の付着によってまとまり、ひと塊に固化する砂乃至粒状物が敷設されて用いられることを特徴とする請求項１〜請求項３いずれか１つに記載のペット用便器受皿。
【発明の詳細な説明】
【０００１】
【発明の属する技術分野】
本発明は、ペット用便器として用いられる受皿に関する。
【０００２】
【従来の技術】
誰でも簡単迅速にペットの糞尿の後始末ができ、且つ未使用の粒状物などをそのまま次回に使用できるようにするペット用便器として、三段重ねの受皿構成とし、最上段の受皿にのみ、小孔を複数設けると共に、その受皿内部に、ペットの糞尿の付着によって、ひと塊に固化する粒状物が敷設されて用いられる構成が提案されている（後述する特許文献１参照）。
【０００３】
上記構成では、図７に示すように、最上段の受皿６が篩として使用され、糞尿の付着によってひと塊に固化したもの５ａ以外の粒状物５が中段の受皿７ａ（小孔なし）にふるい落とされ、さらに図８に示すように、最上段の受皿６に残った上記糞尿の付着により固化した固化物５ａが捨てられることになる。
【０００４】
その後、図９に示すように、中段の上記受皿７ａにふるい落とされた粒状物５を再使用するため、最下段の受皿７ｂの上に、篩として使用された小孔を有する最上段の受皿６を重ね、さらに図１０に示すように中段の上記受皿７ａから、その中にあるふるい落とされた粒状物５を、元の最上段の受皿６（小孔有り）に返し、そして中段にあったこの受皿７ａを最下段の受皿として重ね合わせて、再び使用することになる（これまで最下段の受皿７ｂが中段の受皿として使用される）。
【０００５】
【特許文献１】
特開平１０−８４８０５号
【０００６】
【発明が解決しようとする課題】
しかし、以上のような構成では、糞尿処理時に、一旦中段の受皿７ａに固化していない粒状物５をふるい落とし、その後、篩として使用される最上段の受皿６を最下段の受皿７ｂの上に重ねた後、中段の受皿７ａに篩い落とされた固化していない砂乃至粒状物を、もう一度、最上段の受皿６に一様な状態で戻すといった煩わしい二重手間の作業が必要となり、その際、最上段の受皿６には上記粒状物５を一様な状態で（偏在させずに）戻す必要があって、依然としてペットの糞尿処理は面倒なものであり、上記問題の解決に対して満足のいくものではなかった。また戻す際に、埃などがたち、外部にその粉塵が落下した場合、衛生上問題である。
【０００７】
特にふるい落とされた粒状物５中にも、尿成分などが少なからず含まれている場合があり、篩として使用される最上段の受皿６に再び粒状物を戻す作業の際に、その臭いが鼻をつくこともある。従ってペットの糞尿処理を怠りがちになり、ペットの尿などの臭いが周辺に充満し、ここでも衛生上問題になることもある。
【０００８】
さらに最上段の受皿６は篩として使用されるために小孔を有しており、該小孔を備えていない他段の受皿７ａや７ｂとは違った構成である。従って、これらの受皿を作成するための金型などの型枠は少なくとも２つは必要となるか、或いは同じ型枠で作成した後、最上段の受皿６に当たる構成のみ、小孔を穿設する処理を行うなど、これらの受皿セットの製作は、別々の作業として行われるか、又は最上段の受皿６のみさらに別作業工程が必要となり、製作上も問題があった。
【０００９】
また型枠を２つ以上用いてその製作が行われる場合は、最上段の受皿６とその下段側に重ねられる受皿７ａや７ｂとが精度良く重ね合わせができる状態になるようにしなければならず、型枠の精度も必要とされることになる。
【００１０】
本発明は、以上のような問題に鑑み創案されたもので、ペットの糞尿の後始末がさらに簡便化でき、且つその製作も簡単にできるペット用便器受皿の構成を提供せんとするものである。
【００１１】
【課題を解決するための手段】
本発明に係るペット用便器受皿の構成は、平面形状が円形を含む多角形状の上部解放型の重ね合わせ可能な箱体であって、その底面側に任意の形状の小孔部が複数設けられており、該箱体が重ね合わされた場合に任意の位置ではこれらの小孔部が重なり合うと共に、その位置から底面水平方向に任意の角度相対的にずらせて重ね合わされた際これらの小孔部が他方の底面で塞がれるように、該小孔部が穿孔されていることを基本的特徴としている。
【００１２】
上記構成の受皿がペット用便器として使用される場合、上記受皿は少なくとも３つを１組として重ね合わせて用いられ、且つ重ね合わせた中段の受皿を構成する箱体の上記小孔部が、その上下段にある受皿（箱体）の底面で塞がれるように重ね合わされると共に、最上段の受皿内に、ペットの糞尿の付着によってまとまり、ひと塊に固化する砂乃至粒状物が敷設されて用いられることになる。
【００１３】
そしてペットが最上段の受皿の上記砂乃至粒状物の上で排尿や排便をした場合、その糞尿の付着によって、砂乃至粒状物はひと塊に固化することになり、それ以外はそのままの状態として残ることになる。その糞尿の後始末を行う場合は、最上段の受皿を持ち上げ、中段目の受皿の上で、主に水平方向に動かし、固化していない上記砂乃至粒状物を中段の受皿の上に篩い落とす。最上段の受皿には砂乃至粒状物の固化した物が残るため、それを廃棄する。そしてこの最上段にあった受皿を、ただ単に最下段の受皿のさらに下に、両者の底面小孔部が重ならないように（最上段にそれまであった受皿を最下段側に持ってきて、この最下段側に位置することになった受皿の小孔部が、それまで最下段にあり今回中段に位置することになった受皿の底面で塞がれる状態になるように）、重ね合わせる。
【００１４】
従って上記従来構成とは異なり、糞尿後始末時に、篩として使用される最上段の受皿を最下段の受皿の上に重ねた後、中段の受皿に篩い落とされた固化していない砂乃至粒状物を、もう一度、最上段の受皿に一様な状態で戻すといった煩わしい作業の必要性がなくなり、１アクションで糞尿の後始末ができるようになる（篩い落とした後残った固化物を廃棄してその受皿を最下段に重ねるようにする）ため、作業が二重手間になることがなく、簡単に後始末ができるようになる。また粉塵の飛沫といった問題も生じない。
【００１５】
また上記受皿は、上記のような状態で小孔部が箱体底面に穿設されていれば、全く同じ形状の物で良く、そのため、製作も非常に簡単にできるようになる（製作上必要になる型枠も１つで済むことになる）。ただし使用に際して、上記のように三段重ねした場合に、各底面の小孔部が重ならないように、すなわち、中段の受皿の小孔部が、その上下段にある受皿の底面で塞がれる状態になるように重ね合わせて使用する必要はある。もちろん、三段重ね以上にして使用しても良いことは言うまでもない。
【００１６】
上記受皿に穿設される小孔部は、種々の形状のものが使用できるが、互いにずらして重ね合わせた際、小孔部同士が一部でも貫通する状態になるような形状になってはならない。同じことは小孔部の穿設位置についても言える。
【００１７】
請求項２記載のペット用便器受皿の構成は、上記請求項１記載の受皿のより具体的な構成を規定するものであって、上記箱体の平面形状が四角形である場合に、箱体垂直断面の中心位置から左右非対称な位置に上記小孔部が穿孔され、該箱体が重ねられた際これらの小孔部が重なり合う位置から、底面水平方向に所定の角度ずらせて（回転して）重ね合わされた場合に、これらの小孔部が他方の底面で塞がれるように、該小孔部が穿孔されていることを特徴としている（後述する実施例１参照）。
【００１８】
上記受皿の構成も、ペット用便器として使用される場合は、上記箱体で構成される受皿は少なくとも３つを１組として重ね合わせて用いられ、且つ重ね合わせた中段の受皿の上記小孔部が、その上下段にある受皿の底面で塞がれるように重ね合わされると共に［これらの受皿を重ねた際これらの小孔部が重なり合う位置から、底面水平方向に所定の角度（平面長方形の場合は１８０度、平面正方形の場合は９０度、１８０度或いは２７０度）回転して重ね合わされた場合に、中段の受皿の小孔部が上下段の受皿底面で塞がれる］、最上段の受皿内に、ペットの糞尿の付着によってまとまり、ひと塊に固化する砂乃至粒状物が敷設されて用いられることになる。
【００１９】
そしてペットの糞尿の後始末の仕方は上記の場合と同じである。最後に最上段にあった受皿を、最下段の受皿のさらに下に持ってきて、中段位置になる受皿と最下段に位置することになる受皿の両者の底面小孔部が貫通状態にならないように（最上段にそれまであった受皿を最下段側に持ってきて、この最下段側に位置することになった受皿の小孔部が、それまで最下段にあり今回中段に位置することになった受皿の底面で塞がれる状態になるように）、重ね合わせ、元の使用状態におく。
【００２０】
請求項３記載のペット用便器受皿の構成も、上記請求項１記載の受皿のより具体的な構成を規定するものであり、上記箱体の平面形状が円形である場合に、底面中心を除いて上記小孔部が設けられ、且つ該箱体が重ね合わされた際これらの小孔部が重なり合う位置から、任意の角度回転して重ね合わされた場合に、これらの小孔部が他方の底面で塞がれるように、該小孔部が規則的な位置に或いはランダムな位置に穿孔されていることを特徴としている。
【００２１】
本願構成の特徴は、箱体で構成される受皿が重ね合わされた際これらの小孔部が重なり合う位置から、所定角度回転させた時に、中心から同じ円周上に上記小孔部が穿設されていれば、重ねられた際小孔部が重なり合って貫通状態になってしまうような平面円形状の受皿の場合でも、その回転角度を調整すれば、これらの小孔部が他方の底面で塞がれるように、該小孔部が規則的な位置に或いはランダムな位置に穿孔されているところにある。このような回転角度の調整で小孔部が他方の底面で塞がれるような状態になるためには、少なくとも受皿底面中心には上記小孔部が存在しないようにしなければならない。しかし、それ以外は、回転角度の調整で小孔部が重ならない状態（小孔部が他の受皿底面で塞がれる）になるならば、小孔部の形状でも或いは小孔部の配置形状でも、特別な限定はない。
【００２２】
上記受皿の構成も、ペット用便器として使用される場合は、上記箱体で構成される受皿は少なくとも３つを１組として重ね合わせて用いられ、且つ重ね合わせた中段の受皿の上記小孔部が、その上下段にある受皿の底面で塞がれるように重ね合わされると共に［これらの受皿を重ねた際これらの小孔部が重なり合う位置から、底面水平方向に適当な角度回転して重ね合わされた場合に、中段の受皿の小孔部が上下段の受皿底面で塞がれる］、最上段の受皿内に、ペットの糞尿の付着によってまとまり、ひと塊に固化する砂乃至粒状物が敷設されて用いられることになる。
【００２３】
そしてペットの糞尿の後始末の仕方は上記の場合と同じである。最後に最上段にあった受皿を、最下段の受皿のさらに下に持ってきて、中段位置になる受皿と最下段に位置することになる受皿の両者の底面小孔部が貫通状態にならないように（最上段にそれまであった受皿を最下段側に持ってきて、この最下段側に位置することになった受皿の小孔部が、それまで最下段にあり今回中段に位置することになった受皿の底面で塞がれる状態になるように）、重ね合わせ、元の使用状態におく。
【００２４】
【発明の実施の形態】
以下、本発明の実施の形態を、図示例と共に説明する。
【００２５】
（実施例１）
図１〜図５は、本発明の一実施例に係るペット用便器の受皿の構成を示している。そのうち図１は、平面四角形で正面逆台形形状に形作られ、上面が解放した全く同形状の箱体で構成される受皿１ａ、１ｂ及び１ｃを三段重ねした状態で使用されるペット用便器受皿の斜視図である。これらの受皿１ａ、１ｂ及び１ｃ底面には、後述するようにして穿設された小孔部２ａ、２ｂ及び２ｃ（図１では２ａのみが図示されている）。
【００２６】
ペット用便器の受皿として上記受皿１ａ、１ｂ及び１ｃは少なくとも３つを１組として重ね合わせて使用されるが、上述のように、全く同じもの（形状）からなる（１つの同じ型から作成される）。そのため上記小孔部２ａ、２ｂ及び２ｃは、受皿１ａ、１ｂ及び１ｃが重ね合わされた状態によっては、これらの小孔部２ａ、２ｂ及び２ｃが重なり、全てが貫通状態になる。しかし、該小孔部２ａ、２ｂ及び２ｃは、箱体垂直断面の中心線から左右非対称な位置に穿孔されており（後述する図２〜図５参照）、上記貫通状態の位置から、中段の受皿１ｂだけ、底面水平方向に１８０度回転させて重ね合わせることで、図１のＡ−Ａ断面である図２に示されるように、重ね合わせた中段の受皿１ｂの上記小孔部２ｂは、その上下段にある受皿１ａ及び１ｃの底面で塞がれるようにして使用される。その点最上段の受皿だけに（メッシュ状の）孔が穿設された上記従来例とは構成が異なる。
【００２７】
そして最上段の受皿１ａ内には、ペットの糞尿の付着によってまとまり、ひと塊に固化する粒状物５が敷設されて用いられることになる。
【００２８】
尚、これらの受皿１ａ、１ｂ及び１ｃが平面正方形の場合は、９０度、１８０度或いは２７０度、回転して重ね合わされた場合に、中段の受皿１ｂの小孔部２ｂが上下段の受皿１ａ及び１ｃ底面で塞がれるような位置に、上記小孔部２ａ、２ｂ及び２ｃ夫々が穿設されるようにしても良い。
【００２９】
以上のような状態でペット用便器受皿として、所定の場所におかれ、そこで猫などのペットが排尿・排便を行うと、図３に示されるように、上記粒状物５は、糞尿の付着によってまとまり、ひと塊に固化した状態（これを固化物５ａとする）になる。それ以外はそのままの状態として残る。
【００３０】
次にその糞尿の後始末を行う場合は、図３に示すように、最上段の受皿１ａを持ち上げ、中段の受皿１ｂの上で、主に水平方向に動かし、固化していない上記粒状物５を中段の受皿１ｂの上に篩い落とす。最上段の受皿１ａには粒状物の固化物５ａが残るため、それを、図４に示すように、廃棄する。
【００３１】
そしてこの最上段にあった受皿１ａを、図５に示すように、ただ単に最下段の受皿１ｃのさらに下に、両者の底面小孔部２ａと２ｃとが貫通状態にならないように、重ね合わせる（最上段にそれまであった受皿１ａを最下段側に持ってきて、この最下段側に位置することになった受皿１ａの小孔部２ａが、それまで最下段にあり今回中段に位置することになった受皿１ｃの底面で塞がれる状態になるようにセットする）。
【００３２】
この点、上記従来構成では、図９及び図１０に示すような面倒なハンドリング作業が必要であり、本実施例構成の方が、より簡便に糞尿の後始末を行うことができることになる。すなわち、本発明の構成では、上記従来構成とは異なり、糞尿後始末時に、篩として使用される最上段の受皿６を最下段の受皿７ｂの上に重ねた後、中段の受皿７ａに篩い落とされた固化していない粒状物５を、もう一度、篩として使用される最上段の受皿６に、一様な状態で戻すといった煩わしい作業の必要性がなくなり、１アクションで糞尿の後始末ができるようになる（篩い落とした後残った固化物５ａを廃棄してその受皿１ａを最下段に重ねるようにする）ため、作業が二重手間になることがなく、簡単に後始末ができるようになる。また粉塵の飛沫といった問題も生じない。
【００３３】
上述のように、最上段にあった受皿１ａを、最下段の受皿１ｃのさらに下に持ってきて、中段位置になる受皿１ｃと最下段に位置することになる受皿１ａの両者の底面小孔部２ｃ及び２ａが貫通状態にならないように（一方の小孔部が他方の底面で塞がれる状態になるように）、重ね合わせれば、そのまま元の使用状態におくことができるようになる。
【００３４】
本実施例構成では、以上のように糞尿の後始末が簡単に行うことができるばかりではなく、３つ一組で使用されるこれらの受皿１ａ、１ｂ及び１ｃは、全く同じものであるため、それらの製作に当たっては、１つの型があれば足り、余計な設備（型など）や、受皿別の作業工程が夫々に必要になるということもない。
【００３５】
（実施例２）
図６は、本発明の別の実施例構成の平面図を示しており、３つ一組として使用される各受皿３（図面では最上段の受皿３ａのみが示されている）が、平面形状が円形である場合の構成が示されている。本実施例構成では、箱体を構成する該受皿３に、その底面中心を除いて小孔部４（図面では最上段受皿３ａの小孔部４ａのみが示されている）が設けられおり、該受皿３が重ね合わされた際これらの小孔部４が重なり合う位置から、任意の角度回転して重ね合わされた場合に、これらの小孔部４が他段の受皿底面で塞がれるように、該小孔部４が規則的な位置にに穿孔されている。
【００３６】
本実施例構成では、箱体で構成される受皿３が重ね合わされた際これらの小孔部４が重なり合う状態になる位置から、所定角度回転させた時に、中心から同じ円周上に上記小孔部４が穿設されているので、その回転角度を調整すれば、例えば中段の受皿３ｂの小孔部４ｂが上下段の受皿３ａ及び３ｃの底面で塞がれるように、これらの小孔部４が規則的な位置に穿孔されているところにある。このような回転角度の調整で小孔部４ｂが他段の受皿３ａ及び３ｃ底面で塞がれるような状態になるためには、少なくとも受皿３底面中心には上記小孔部４が存在しないようにしなければならない。しかし、それ以外は、回転角度の調整で小孔部４が重ならない状態（小孔部４が他の受皿３底面で塞がれる）になるならば、小孔部４の形状も円形に限定されるわけではない。また小孔部４の配置形状も、特別な限定はなく、ランダムな位置に穿設されていても良い。
【００３７】
上記受皿３の構成も、ペット用便器として使用される場合は、上記箱体で構成される受皿３ａ、３ｂ及び３ｃは少なくとも３つを１組として重ね合わせて用いられ、且つ重ね合わせた中段の受皿３ｂの上記小孔部４ｂが、その上下段にある受皿３ａ及び３ｃの底面で塞がれるように重ね合わされると共に［これらの受皿３を重ねた際これらの小孔部４が重なり合う位置から、底面水平方向に適当な角度回転して重ね合わされた場合に、中段の受皿３ｂの小孔部４ｂが上下段の受皿３ａ及び３ｃ底面で塞がれる］、最上段の受皿３ａ内に、ペットの糞尿の付着によってまとまり、ひと塊に固化する粒状物５が敷設されて用いられることになる。
【００３８】
そしてペットの糞尿の後始末の仕方は上記の実施例の場合と同じである。最後に最上段にあった受皿３ａを、最下段の受皿３ｃのさらに下に持ってきて、中段位置になる受皿３ｃと最下段に位置することになる受皿３ａの両者の底面小孔部４ｃ及び４ａが貫通状態にならないように（最上段にそれまであった受皿３ａを最下段側に持ってきて、この最下段側に位置することになった受皿３ａの小孔部４ａが、それまで最下段にあり今回中段に位置することになった受皿３ｃの底面で塞がれる状態になるように）、重ね合わせ、元の使用状態におく。
【００３９】
この点、上記従来構成では、図９及び図１０に示すような面倒なハンドリング作業が必要であり、本実施例構成の方が、より簡便に糞尿の後始末を行うことができることになる。すなわち、本発明の構成では、上記従来構成とは異なり、糞尿後始末時に、篩として使用される最上段の受皿６を最下段の受皿７ｂの上に重ねた後、中段の受皿７ａに篩い落とされた固化していない粒状物５を、もう一度、篩として使用される最上段の受皿６に、一様な状態で戻すといった煩わしい作業の必要性がなくなり、１アクションで糞尿の後始末ができるようになる（篩い落とした後残った固化物５ａを廃棄してその受皿１ａを最下段に重ねるようにする）ため、作業が二重手間になることがなく、簡単に後始末ができるようになる。また粉塵の飛沫といった問題も生じない。
【００４０】
本実施例構成では、以上のように糞尿の後始末が簡単に行うことができるばかりではなく、３つ一組で使用されるこれらの受皿３ａ、３ｂ及び３ｃは、全く同じものであるため、それらの製作に当たっては、１つの型があれば足り、余計な設備（型など）や、受皿別の作業工程が夫々に必要になるということもない。
【００４１】
その他、本発明における受皿は、平面三角形にすることも可能であるが、平面五角形以上の多角形にすることもできる。その場合、角度をずらして重ね合わせた場合、その上下段の受皿で貫通状態にならないように、小孔部が穿設されている必要がある（ただし同じ型を使用して作成される場合、ずらした角度によってこれらの小孔部がぴったり重なり合うようになることはある）。
【００４２】
尚、本発明のペット用便器受皿は、上述の実施例にのみ限定されるものではなく、本発明の要旨を逸脱しない範囲内において種々変更を加え得ることは勿論である。たとえば、上記３つ一組で使用されるこれらの受皿のさらに下に、尿などの遺漏がないように別体の収容箱を重ねて使用しても良い。また上記篩い落としの後、残った砂乃至粒状物が少なければ、新しい砂乃至粒状物を継ぎ足しておくと良い。さらに穿設される小孔部の形状も、特別な限定はない。加えて、受皿の表面に、薄利性の良好なテフロン（テフロンは登録商標である）処理や抗菌・脱臭処理が施されるようにしても良い。
【００４３】
【発明の効果】
以上、説明したように本発明の請求項１〜４記載のペット用便器受皿によれば、糞尿後始末時に、篩として使用される最上段の受皿を最下段の受皿の上に重ねた後、中段の受皿に篩い落とされた固化していない砂乃至粒状物を、もう一度、最上段の受皿に一様な状態で戻すといった煩わしい作業の必要性がなくなり、１アクションで糞尿の後始末ができるようになるという優れた効果を奏することが可能となる。すなわち、篩い落とした後残った固化物を廃棄してその受皿を最下段に重ねるようにするため、作業が二重手間になることがなく、簡単に後始末ができるようになる。また粉塵の飛沫といった問題も生じない。
【００４４】
さらに上記受皿は、３つ以上を一組として使用するが、これらの受皿は、全く同じ形状の物で良く、そのため、それらの製作に当たっては、１つの型があれば足り、余計な設備（型など）や、受皿別の作業工程が夫々に必要になることもなく、製作も非常に簡単にできるようになる。さらに製作上複数の型を必要とする場合は、型の精度も必要とされるが、本構成では、１つの型があれば足り、型の精度も高度なものが要求されることにはならない。
【図面の簡単な説明】
【図１】本発明の一実施例に係るペット用便器の受皿の構成を示す斜視図である。
【図２】図１のＡ−Ａ断面を示す断面図である。
【図３】図２の状態から最上段の受皿を篩として使用している状態を示す断面図である。
【図４】図３の状態から固化物５ａを廃棄している状態を示す断面図である。
【図５】ペットの糞尿後始末を終えた後元の使用状態に戻すところを示す断面図である。
【図６】本発明の他の実施例に係るペット用便器の受皿の構成を示す平面図である。
【図７】従来構成で、ペットの糞尿の後始末時に最上段の受皿６を篩として使用している状態を示す説明図である。
【図８】上記篩い落とし作業終了後固化物５ａを廃棄している状態を示す説明図である。
【図９】中段の受皿７ａに篩い落とされた砂乃至粒状物５を篩として使用される上記最上段の受皿６に戻すために、該受皿６の配置を変えている状態を示す説明図である。
【図１０】中段の受皿７ａに篩い落とされた砂乃至粒状物５を最上段の受皿６の上に戻し、さらに該受皿７ａを最下段の位置にセットする状態を示す説明図である。
【符号の説明】
１ａ、１ｂ、１ｃ      受皿
２ａ、２ｂ、２ｃ      小孔部
３ａ、３ｂ、３ｃ      受皿
４ａ、４ｂ、４ｃ      小孔部
５                    粒状物
５ａ                  固化物
６、７ａ、７ｂ        受皿
【図１】
2005000140.tif 000003
【図２】
2005000140.tif 000004
【図３】
2005000140.tif 000005
【図４】
2005000140.tif 000006
【図５】
2005000140.tif 000007
【図６】
2005000140.tif 000008
【図７】
2005000140.tif 000009
【図８】
2005000140.tif 000010
【図９】
2005000140.tif 000011
【図１０】
2005000140.tif 000012